(57)【要約】【課題】  温風を用いることによって被施療部位の血管拡張効果を短時間に促進するとともに、被施療部位に叩き振動を与え、被施療部位の筋肉のこりを解消することが可能なハンディマッサージ器の提供。【解決手段】  把持部と該把持部から軸方向に延設し、下面が平坦に形成され且つ前記把持部よりも幅広に形成されるヘッド部とからなる筐体と、前記ヘッド部下面から突出し、該ヘッド部幅方向に配置される一対の施療子と、前記施療子を前記ヘッド部幅方向断面上で略円弧を描いて動作させるとともに前記ヘッド部内に配設される叩き動作発生機構と、前記ヘッド部内に配設され、前記施療子配設部位から温風を吹き出す温風発生機構からなり、前記ヘッド部下面には、前記一対の施療子を囲み、前記施療子の突出量より短く形成された枠体が配設されることを特徴とするハンディマッサージ器である。【選択図】  図１
2005323664.tif 000002
【特許請求の範囲】
【請求項１】
把持部と該把持部から軸方向に延設し、下面が平坦に形成され且つ前記把持部よりも幅広に形成されるヘッド部とからなる筐体と、
前記ヘッド部下面から突出し、該ヘッド部幅方向に配置される一対の施療子と、
前記施療子を前記ヘッド部幅方向断面上で略円弧を描いて動作させるとともに前記ヘッド部内に配設される叩き動作発生機構と、
前記ヘッド部内に配設され、前記施療子配設部位から温風を吹き出す温風発生機構からなり、
前記ヘッド部下面には、前記一対の施療子を囲み、前記施療子の突出量より短く形成された枠体が配設されることを特徴とするハンディマッサージ器。
【請求項２】
前記温風発生機構は、外部から空気を吸入するファンと、
前記ファンから吸入された空気を前記枠体に向けて流す管路と、
前記管路内に配設されたヒータからなり、
前記管路内には、更に複数の絶縁体層と前記絶縁体層間に配されるマイナス極と前記マイナス極が配される層間と異なる層間に配設されるゼロ極とからなる放電部が配設され、
前記絶縁体層中で放電可能とされることを特徴とする請求項１記載のハンディマッサージ器。
【請求項３】
前記叩き動作発生機構は、モータと、
前記モータの回転軸に偏心して取付けられる略円筒形状の偏心子と、
前記偏心子と回転可能に嵌合する円板部と、
前記円板部外周から延設するとともに前記一対の施療子とそれぞれ接続する一対の接続部材とからなることを特徴とする請求項１又は２記載のハンディマッサージ器。
【請求項４】
前記ヘッド部下面と前記施療子との間に、可撓性材料からなるベローズが配設されることを特徴とする請求項１乃至３いずれかに記載のハンディマッサージ器。
【発明の詳細な説明】
【技術分野】
【０００１】
本発明は、手で保持して所望の身体部分をマッサージするマッサージ器に関し、より詳しくは、人体の被施療部位に温風を当てながら叩き振動を与え、該被施療部位をマッサージするハンディマッサージ器に関する。
【背景技術】
【０００２】
人間の肩こりなどの筋肉の硬化は、血管が収縮し、筋肉に乳酸などの疲労物質が蓄積することによって生ずるものである。このようなこりを解消するために様々なマッサージ器が提案され、市販されている。
従来のマッサージ器は、被施療部位に叩き振動などの物理的外力を加え、筋肉のこりをほぐすものが一般的であった。このような方法によれば、一時的に筋肉のこりは解消されるかもしれないが、筋肉の疲労物質の蓄積という根本原因を解消できるものではなく、マッサージを終えてしばらくすると筋肉のこりを感じるものとなっていた。
このような問題を解消するために、特許文献１には、叩き動作を行う施療子を温めることによって、人体被施療部位を温め、該被施療部位の血管を拡張しつつ、叩き動作を行い、被施療部位の疲労物質の蓄積を解消する手持ち式のマッサージ器が開示されている。
特許文献１に提案されるマッサージ器によれば、施療子が温まっているため、血管を拡張し、疲労物質の蓄積を解消することが可能かもしれないが、通常手持ち式マッサージ器は着衣の上から人体に当接されるため、施療子からの温熱効果が人体に伝わるまでに時間がかかるものであった。したがって、短時間のマッサージでは、本来発揮すべき疲労物質の蓄積を解消するという役割を発揮することができなかった。
【０００３】
【特許文献１】特開２００２−２４８１５４号公報
【発明の開示】
【発明が解決しようとする課題】
【０００４】
本発明は上記実情を鑑みてなされたものであって、温風を用いることによって被施療部位の血管拡張効果を短時間に促進するとともに、被施療部位に叩き振動を与え、被施療部位の筋肉のこりを解消することが可能なハンディマッサージ器を提供することを目的とする。
【課題を解決するための手段】
【０００５】
請求項１記載の発明は、把持部と該把持部から軸方向に延設し、下面が平坦に形成され且つ前記把持部よりも幅広に形成されるヘッド部とからなる筐体と、前記ヘッド部下面から突出し、該ヘッド部幅方向に配置される一対の施療子と、前記施療子を前記ヘッド部幅方向断面上で略円弧を描いて動作させるとともに前記ヘッド部内に配設される叩き動作発生機構と、前記ヘッド部内に配設され、前記施療子配設部位から温風を吹き出す温風発生機構からなり、前記ヘッド部下面には、前記一対の施療子を囲み、前記施療子の突出量より短く形成された枠体が配設されることを特徴とするハンディマッサージ器である。
請求項２記載の発明は、前記温風発生機構は、外部から空気を吸入するファンと、前記ファンから吸入された空気を前記枠体に向けて流す管路と、前記管路内に配設されたヒータからなり、前記管路内には、更に複数の絶縁体層と前記絶縁体層間に配されるマイナス極と前記マイナス極が配される層間と異なる層間に配設されるゼロ極とからなる放電部が配設され、前記絶縁体層中で放電可能とされることを特徴とする請求項１記載のハンディマッサージ器である。
【０００６】
請求項３記載の発明は、前記叩き動作発生機構は、モータと、前記モータの回転軸に偏心して取付けられる略円筒形状の偏心子と、前記偏心子と回転可能に嵌合する円板部と、前記円板部外周から延設するとともに前記一対の施療子とそれぞれ接続する一対の接続部材とからなることを特徴とする請求項１又は２記載のハンディマッサージ器である。
請求項４記載の発明は、前記ヘッド部下面と前記施療子との間に、可撓性材料からなるベローズが配設されることを特徴とする請求項１乃至３いずれかに記載のハンディマッサージ器である。
【発明の効果】
【０００７】
請求項１記載の発明によれば、温風により人体被施療部位を温めるため、マッサージ開始直後から被施療部位に温熱効果を与え、血管を拡張し、疲労物質蓄積の解消を促すことができる。更に、枠体内に温風によりもたらされた暖かな空気が留められるので、温熱効果がより効率よく発揮される。
更に、施療子が略円弧状を描いて動作するため、通常の人体被施療部位に対して直角方向の叩き振動のみならず、施療子が被施療部位を転動する動作もするので、一層のマッサージ効果をもたらすことが可能となる。
また、枠体はヘッド部幅方向に配設される一対の施療子を囲むのでヘッド部幅方向に長くなる断面を有する筒状体となり、マッサージ器の幅方向の移動を安定して行わせしめることができる。
更にヘッド部内部には、叩き動作発生機構及び温風発生機構が配設されるので、マッサージ器の重心はヘッド部に位置するものとなり、施療子の叩き動作により発生するマッサージ器上下の振動を抑制させることが可能となる。
請求項２記載の発明によれば、絶縁体層内部で放電現象が生じることによって管路内の物質がマイナスの電気を帯び、該マイナスの電気を帯びた物質がファンから送り出される温風とともに施療子周囲にもたらされるので、該施療子によってマッサージされる被施療部位近辺にマイナスの電気を帯びた物質が放散され、被施療部位近辺のプラスの電気を帯びた物質（即ちフリーラジカル）にマイナス電荷を供給し、被施療部位付近の活性酸素などのプラスの電気を帯びた有害物質を除去することが可能となる。
【０００８】
請求項３記載の発明によれば、一対の施療子が人体被施療部位から若干の距離を空けた位置から下降し、人体被施療部位を押圧する「叩き」マッサージ、一対の施療子が人体被施療部位上で転動しながら人体被施療部位を押圧する「転動押圧」マッサージ及び一対の施療子が人体被施療部位に当接した状態で、人体被施療部位を押圧する「押圧」マッサージという異なるマッサージ態様を交互に繰り返し行うので、効果的なマッサージを行うことが可能となる。
請求項４記載の発明によれば、ベローズがダンパの役割を果たし、施療子から伝達する振動成分を吸収するので、把持部に伝わる振動が抑制され、マッサージ中に手がしびれることがない。
【発明を実施するための最良の形態】
【０００９】
以下、本発明に係るハンディマッサージ器の実施形態について、図を参照しつつ説明する。図１は本発明に係るハンディマッサージ器を示す図である。図１（ａ）はマッサージ器の斜視図であり、図１（ｂ）はマッサージ器を下方から見た図である。
マッサージ器（１）は、筐体（２）を有する。筐体（２）は把持部（２１）とヘッド部（２２）とからなる。把持部（２１）は略円筒形状であり、把持部（２１）が手で把持され、マッサージ器（１）が所望の人体被施療部位へ案内される。
把持部（２１）の上面には、複数の点状突起部（２１１）が形成されている。更に、把持部（２１）上面の点状突起部（２１１）が形成されている部分の後端及び先端には一対の略楕円形状の突起部（２１２）が形成され、該一対の突起部（２１２）の間で把持されることとなる。把持部（２１）の下面には複数の楕円形状の突起部（２１３）が形成され、これら突起部（２１３）は、把持部（２１）が手で把持されたときに、指と指の間に入り込む。このような突起部（２１１、２１２、２１３）が形成されることにより、マッサージ器（１）は安定して把持されるものとなる。
把持部（２１）後端には、筒状のコード挿入口（２１４）が配設され、コード挿入口（２１４）から電源コード（図示せず）が筐体（２）内部に挿入され、マッサージ器（１）を動作させるための電力が供給可能とされる。
把持部（２１）上面先端側には、複数のボタンからなるスイッチ部（２１５）が配設されている。スイッチ部（２１５）のボタンの選択により、マッサージ器（１）の電源オン・オフ、マッサージ器（１）のマッサージ強度（即ち、マッサージ器による押圧力の強さ）の調整や温風発生及び温風の風量調整或いはマイナスイオン発生などの各種機能が選択可能とされる。このように把持部（２１）上面のヘッド部（２２）近傍にスイッチ部（２１５）が配設されるので、マッサージ器（１）の操作性が向上するとともに、ヘッド部（２２）内へ配されるマッサージ器（１）を動作させるための機構へのスイッチ部（２１５）からの配線経路を短縮することができ、電気的故障が発生しにくい構造となっている。
【００１０】
ヘッド部（２２）は把持部（２１）からマッサージ器（１）軸方向に延設している。ヘッド部（２２）は把持部（２１）からマッサージ器（１）幅方向に徐々に広がるとともに、マッサージ器（１）上下方向にも厚みを増している。このようにして、ヘッド部（２２）内部容積を増加させ、ヘッド部（２２）内に後述する叩き動作発生機構及び温風発生機構が配設可能とされる。
ヘッド部（２２）上面中央部には上方に隆起する隆起部（２２１）が形成され、隆起部（２２１）内に後述する温風発生機構が収容される。尚、後述するように温風発生機構はマッサージ器（１）外部から空気を取り入れ、温風を放出する機構となっているので、隆起部（２２１）の上面及び後端面には、空気取入口（４１）が形成されている。
ヘッド部（２）先端下面には、マッサージ器（１）幅方向及び下方に突出する施療子収容部（２２２）が形成されている。施療子収容部（２２２）下面から、マッサージ器（１）幅方向に並んで配列される略半球形状の一対の施療子（３）が突出している。また半球形状の施療子（３）の上面と施療子収容部（２２２）下面との間には可撓性材料からなる略台形円錐形状のベローズ（３１）が配設されている。
また、施療子収容部（２２２）の下面には、ベローズ（３１）を囲むように且つベローズ（３１）上端面から放射状に延びる略楕円形状に形成された複数の温風放出口（４２）が形成されている。温風放出口（４２）からは、空気取入口（４１）から取り入れられ温風発生機構によって温められた温風が放出される。
施療子収容部（２２２）下面からは、略楕円筒形状の枠体（５）が配設される。枠体（５）の外壁形状は施療子収容部（２２２）下面形状と略一致しており、マッサージ器（１）幅方向に長い略楕円形状をしている。枠体（５）内壁面は、一対の施療子（３）側方を囲むように形成され、略８の字状の形状をしている。このようにして、施療子（３）周辺に空間が形成される。また枠体（５）は施療子（３）の突出量よりも短く形成され、枠体（５）から施療子（３）は突出している。
【００１１】
図２はマッサージ器（１）の長手方向断面図である。
マッサージ器（１）のヘッド部（２２）内部上方には温風発生機構（４）が配設される。温風発生機構（４）はモータ（４３）と、モータ（４３）の回転軸と接続するファン（４４）と、ファン（４４）と隣接する管路（４５）と、管路（４５）内部に配設されるヒータ部（４６）からなる。
モータ（４３）を回転させると、モータ（４３）と接続するファンが回転し、ヘッド部（２２）上面に形成された空気取入口（４１）から空気をヘッド部（２２）内部に取り入れる。
【００１２】
図３はマッサージ器（１）を上方から見た図である。図３中、温風発生機構（４）の管路（４５）は点線で示されている。
管路（４５）は、ファン（４３）周囲に形成された空間（４５１）と連通し、ヘッド部（２２）に形成された隆起部（２２１）内部に沿って、マッサージ器（１）先端方向に向かって延設する。管路（４５）がヘッド部（２２）先端に至ると下方に向かって曲がり、上述の如く、施療子収容部（２２２）に形成された温風放出口（４２）から空気を放出する。
【００１３】
図４はマッサージ器（１）の幅方向断面図であり、管路（４５）先端形状を示す。
図４に示す如く、管路（４５）はヘッド部（２２）先端において下方に曲がった後、下方に向かって広がる楕円錐筒形状のノズル部（４５２）と接続している。ノズル部（４５２）内部で管路（４５）を通過した空気の流れは広がり、ノズル部（４５２）下方にある施療子収容部（２２２）下面の温風放出口（４２）全体から空気を放出する。
【００１４】
図２に示す如く、管路（４５）内部にはヒータ（４６）が配設される。ヒータ（４６）は、ファン（４４）から送られる空気を通過可能な形状であれば特に限定されず、例えば円筒形状や多孔質体が例示できる。ヒータ（４６）によって、ファン（４４）から送られた空気に熱量を与え、下流側へ温風を送り出す。このようにして、熱せられた空気は施療子収容部（２２２）下面に形成された温風放出口（４２）から放出される。
【００１５】
図５は、放電部を示す図である。
管路（４５）内に図５に示すような放電部を設けてもよい。図５に示す放電部（７）は、複数の薄い絶縁体層（７１）と高電圧を負荷されるマイナス極（７２）とマイナス極（７２）と絶縁体層（７１）を介してマイナス極（７２）と対向して配設されるゼロ極（７３）からなる。絶縁体層（７１）は上から第１絶縁体層（７１１）、第２絶縁体層（７１２）及び第３絶縁体層（７１３）とされる。第１絶縁体層（７１１）と第２絶縁体層（７１２）との間にマイナス極（７２）が配設され、第２絶縁体層（７１２）と第３絶縁体層（７１３）との間に一対のゼロ極（７３）が配設される。尚、図５に示す例において、絶縁体層（７１）には雲母が用いられている。
このような構造の放電部（７）において、ゼロ極（７２）に高電圧（例えば、２０００Ｖ）を負荷するとマイナス極（７２）とゼロ極（７３）との間、即ち第２絶縁体層（７１２）内部で放電現象を生ずる。放電現象により、放電部周囲にある微粒子物質に電子が供給され、該微粒子物質はマイナスの電気を帯びることとなる。このマイナスの電気を帯びた微粒子物質は、所謂マイナスイオンと呼ばれ、人体へのリラックス効果、血管拡張効果、細胞の活性化や人体に悪影響をもたらす活性酸素の除去効果などを奏するものである。
放電部（７）の放電により発生したマイナスイオンは、ファン（４４）から送られる空気の流れに乗り、温風放出口（４２）から放出される。
放電部（７）による放電は絶縁体層（７１）内部で生ずるので、放電が空気に触れることなく行われ、異臭を発するオゾンの発生を抑制できる。更には、マイナス極（７２）が絶縁体層（７１）に覆われているので、マイナス極（７２）に埃などの異物が付着せず、故障の原因を排除可能となる。
【００１６】
図６は、叩き動作発生機構をマッサージ器（１）先端側から見た図である。以下、図５及び図２を参照しつつ、叩き動作発生機構について説明する。
叩き動作発生機構（６）はモータ（６１）とモータ（６１）の回転軸と偏心して接続する偏心子（６２）と、偏心子（６２）と回転可能に接続する略円板形状の円板部（６３）と、円板部（６３）の側端から下方に向かって延設し、一対の施療子（３）とそれぞれ接続する一対の接続部材（６４）からなる。円板部（６３）中心にはベアリングが配され、偏心子（６２）と同心に接続している。
図２に示すが如く、ベローズ（３１）はヘッド部（２２）の施療子収容部（２２２）下面と施療子（３）上面との間に配設され、ベローズ（３１）下端は接続部材（６４）の下端部と接続している。
【００１７】
図７は、モータ（６１）の回転に伴う叩き動作機構（６）の動作状態を示す。図７（ａ）は、施療子（３）が最上点にある状態を示し、図７（ｂ）は図７（ａ）の状態からモータ（６１）が９０°回転した状態を示し、図７（ｃ）は図７（ａ）に示す状態からモータ（６１）が１８０°回転し、施療子（３）が最下点にある状態を示し、図７（ｄ）は図７（ｃ）の状態からモータ（６１）が更に９０°回転した状態を示す。また、図７中偏心子（６２）の偏心回転位置を明確にするため、モータ（６１）の回転軸を点線円で示している。
図７（ａ）の最上点位置からモータ（６１）が９０°時計回りに回転すると、偏心子（６２）の偏心回転位置は図中右下方向へ移動する。上述の如く、円板部（６３）側端から延設する一対の接続部材（６４）下端部はベローズ（３１）と接続し、ベローズ（３１）は上下方向の伸縮のみを許容するので、接続部材（６４）下端部の左右方向の位置は変化せず、上下方向位置のみが変化する。一方で、円板部（６３）は全体的に右方に移動するので、接続部材（６４）上端部も右方に移動する。したがって、接続部材（６４）は鉛直方向から傾斜することになる。この傾斜に応じて、円板部（６３）は偏心子（６２）に対し若干角変位する。これにより、一対の施療子（３）のうち右方に配される施療子（３）は左方に配される施療子（３）よりも下方に位置することになる。よって、このとき右方に配設される施療子（３）は左方に配設される施療子（３）よりも強い押圧力で人体被施療部位を押圧することになる。
【００１８】
モータ（６１）を更に９０°時計回りに回転させると、偏心子（６２）は左下方向に移動し、最下点に至る。偏心子（６２）の下降に伴い、円板部（６３）、接続部材（６４）及び施療子（３）も下降する。また、偏心子（６２）の左方への移動に伴い、図７（ｂ）の接続部材（６４）の傾斜が元に戻る。
このとき右方に配設される施療子（３）は人体被施療部位上で転動する。即ち、右方の施療子（３）は人体被施療部位を押圧しながら転動するようなマッサージ動作を与える。一方で、左方に配設される施療子（３）は、図７（ｂ）で示される右方の施療子（３）との高さ位置の差異をなくし、下降するので人体被施療部位に「叩き」の動作を与える（図７（ｃ）参照）。
【００１９】
モータ（６１）が更に９０°時計回りに回転すると、偏心子（６２）は左上方向に移動する。これに伴い、上述と逆の方向に接続部材（６４）は傾斜し、左方に配設される施療子（３）の位置は右方の施療子（３）よりも下方に位置するものとなり、左方に配設される施療子（３）が人体被施療部位を押圧することとなる。
このようにして、左右の施療子がマッサージ器幅方向断面上で円弧状の軌跡を描き移動し、「押圧」「転動押圧」「叩き」のマッサージ動作を繰り返し行うので優れたマッサージ効果を奏するものとなる（図７（ｄ）参照）。
このように施療子（３）は複雑な動きをし、その動きに伴うマッサージ器（１）への反力で多様な方向の振動がマッサージ器（１）に加わるが、ベローズ（３１）が反力を吸収するのでマッサージ器（１）に伝達される振動が緩和される。更には、枠体（５）が横に長い形状で配されるので、このような振動によっても、マッサージ器（１）は枠体（５）によって安定的に人体被施療部位上で支持されるものとなる。また、上述の如くヘッド部（２２）内に叩き動作発生機構（６）及び温風発生機構（４）が配されるので、マッサージ器（１）の重心はヘッド部（２２）に位置するものとなり、マッサージ器（１）が上記振動により人体被施療部位上で跳ね上がることがない。
【００２０】
上記施療子（３）がもたらすマッサージ効果に加え、本発明の温風発生機構（４）による温風によって、人体被施療部位が温められる。温風により人体被施療部位を温めるので、着衣の上からでも温風は人体表面に達しやすく、即時に温熱効果を得られるものとなる。更には、枠体（５）内部に温められた空気が留まるので、効率よく温熱効果をもたらすことが可能となる。したがって、人体被施療部位は温められ、人体被施療部位の血管が拡張し、人体被施療部位の疲労物質の蓄積を解消する。したがって、マッサージ効果が長期間持続するものとなる。
更に、温風発生機構（４）の放電部（７）によって発生するマイナスイオンはマッサージ器（１）から放出され、施療者をリラックスさせ、更に血管拡張効果を促進する。また、人体被施療部位の細胞を活性化し、施療子（３）によるマッサージ効果を更に促進する。また、マイナスイオンは枠体（５）内部に留まり、拡散せず、人体被施療部位に集中的に供給され、上記マイナスイオンによる効果をより効率的に奏するものとなる。
【産業上の利用可能性】
【００２１】
本発明は、温風を用いることによって被施療部位の血管拡張効果を短時間に促進するとともに、被施療部位に叩き振動を与え、被施療部位の筋肉のこりを解消することが可能なハンディマッサージ器に好適に適用される。
【図面の簡単な説明】
【００２２】
【図１】本発明に係るマッサージ器を示す図である。（ａ）はマッサージ器の斜視図であり、（ｂ）はマッサージ器を下方から見た図である。
【図２】本発明に係るマッサージ器の長手方向断面図である。
【図３】本発明に係るマッサージ器を上方から見た図である。
【図４】本発明に係るマッサージ器の幅方向断面図である。
【図５】本発明に係るマッサージ器の放電部を示す図である。
【図６】本発明に係るマッサージ器の叩き動作発生機構の正面図である。
【図７】本発明に係るマッサージ器の叩き動作発生機構の動作を示す図である。（ａ）は施療子が最上点にある状態を示し、（ｂ）は（ａ）に示す状態からモータが９０°回転した状態を示し、（ｃ）は（ａ）に示す状態からモータが１８０°回転した状態を示し、（ｄ）は（ａ）に示す状態からモータが２７０°回転した状態を示す。
【符号の説明】
【００２３】
１・・・・・マッサージ器
２・・・・・筐体
２１・・・・把持部
２２・・・・ヘッド部
３・・・・・施療子
３１・・・・ベローズ
４・・・・・温風発生機構
４４・・・・ファン
４６・・・・ヒータ
５・・・・・枠体
６・・・・・叩き動作発生機構
６１・・・・モータ
６２・・・・偏心子
６３・・・・円板部
６４・・・・接続部材
７・・・・・放電部
７１・・・・絶縁体層
７２・・・・マイナス極
７３・・・・ゼロ極
【図１】
2005323664.tif 000003
【図２】
2005323664.tif 000004
【図３】
2005323664.tif 000005
【図４】
2005323664.tif 000006
【図５】
2005323664.tif 000007
【図６】
2005323664.tif 000008
【図７】
2005323664.tif 000009